(57)【要約】防火戸（１）は、ドア（２０）を駆動する駆動部（３０）と、駆動部（３０）を収容しているケース（５０）と、ケース（５０）の外部においてケース（５０）により支持されている断熱材（７１）とを備える。
2017014193.tif 000002
【特許請求の範囲】
【請求項１】
ドアを駆動する駆動部と、
前記駆動部を収容しているケースと、
前記ケースの外部において前記ケースにより支持されている断熱材とを備える
防火戸。
【請求項２】
前記断熱材を複数備え、複数の前記断熱材が前記防火戸の前後方向に積層されている
請求項１に記載の防火戸。
【請求項３】
軟鋼よりも熱伝導率が低い金属により形成された保持部材をさらに備え、
前記保持部材は、前記ケースと前記断熱材との間に配置される部分を含み、
前記断熱材は、前記保持部材を介して前記ケースに支持されている
請求項１または２に記載の防火戸。
【請求項４】
前記保持部材は、前記ケースの側壁に取り付けられている
請求項３に記載の防火戸。
【請求項５】
前記断熱材および前記保持部材の少なくとも一方は、前記ケースの側壁に沿って延びる形状である
請求項３または４に記載の防火戸。
【請求項６】
前記保持部材は、前記断熱材の形状を保持するよう構成されている
請求項３〜５のいずれか一項に記載の防火戸。
【請求項７】
前記保持部材は、前記ケースと前記断熱材との間に配置された部分である保持部、および、前記断熱材のうちの前記保持部により保持されている面と反対側の面に面する保護部を備える
請求項３〜６のいずれか一項に記載の防火戸。
【請求項８】
前記保護部は、前記ケースの側壁に沿って延びる形状である
請求項７に記載の防火戸。
【請求項９】
前記保持部材を複数備え、複数の前記保持部材は、間隔をあけて配置されている
請求項３〜８のいずれか一項に記載の防火戸。
【請求項１０】
軟鋼よりも熱伝導率が低い金属により形成され、前記ケースの内部において前記ケースの内面と間隔をあけて配置された区画板をさらに備える
請求項１〜９のいずれか一項に記載の防火戸。
【請求項１１】
ドアを駆動する駆動部と、
前記駆動部を収容しているケースと、
前記ケースの内部において前記ケースにより支持されている断熱材とを備える
防火戸。
【発明の詳細な説明】
【技術分野】
【０００１】
本発明は、建物に設置される防火戸に関する。
【背景技術】
【０００２】
従来から、商業施設および病院等の建物に設置される防火戸が知られている。その一例である特許文献１に記載の防火戸は、引戸としての形態を有するドア、ドアを駆動する駆動部、および、駆動部を収容しているケースを備える。
【先行技術文献】
【特許文献】
【０００３】
【特許文献１】特開平８−２８４５４４号公報
【発明の概要】
【発明が解決しようとする課題】
【０００４】
防火戸が設置されている建物内で火災が発生した場合、火炎の熱がケースに伝達され、ケースの内部の温度が上昇する。このため、ケースに収容されている駆動部の温度が上昇しやすい。なお、特許文献１に記載の引戸に限らず、開戸または折戸としての形態を有する防火戸についても同様の課題が生じると考えられる。【０００５】
本発明の目的は、駆動部の温度が上昇しにくい防火戸を提供することである。
【課題を解決するための手段】
【０００６】
（１）本発明の一形態に従う防火戸は、ドアを駆動する駆動部と、前記駆動部を収容しているケースと、前記ケースの外部において前記ケースにより支持されている断熱材とを備える。【０００７】
この防火戸によれば、防火戸が設置されている建物内で火災が発生した場合、火炎の熱がケースに伝達されることが断熱材により抑制されるため、ケースの内部の温度が上昇しにくい。このため、駆動部の温度が上昇しにくい。【０００８】
（２）上記防火戸に従属する一形態によれば、前記断熱材を複数備え、複数の前記断熱材が前記防火戸の前後方向に積層されている。
この防火戸によれば、複数の断熱材が前後方向、すなわち、防火戸により区画される室内外の方向に積層されていることにより、隣り合う断熱材の間に空気層が形成される。このため、断熱材による断熱効果に加えて、空気層による断熱効果が得られるため、駆動部の温度がより上昇しにくい。【０００９】
（３）上記防火戸に従属する一形態によれば、軟鋼よりも熱伝導率が低い金属により形成された保持部材をさらに備え、前記保持部材は、前記ケースと前記断熱材との間に配置される部分を含み、前記断熱材は、前記保持部材を介して前記ケースに支持されている。【００１０】
この防火戸によれば、ケースと断熱材との間に軟鋼よりも熱伝導率の低い金属により形成された保持部材が配置されているため、保持部材を介したケースへの熱の伝達が抑制され、ケースの内部の温度が上昇することを抑制できる。このため、駆動部の温度が上昇しにくい。【００１１】
（４）上記防火戸に従属する一形態によれば、前記保持部材は、前記ケースの側壁に取り付けられている。
ケースの長手方向に延びる側壁は、室内または室外に面する部分であるため、防火戸が設置されている建物内で火災が発生した場合、火炎にさらされやすい。この防火戸によれば、ケースの側壁に保持部材が取り付けられているため、側壁に面する位置に断熱材が配置される。このように、防火戸のうちの火炎にさらされやすい箇所に断熱材が配置されるため、駆動部の温度がより上昇しにくい。【００１２】
（５）上記防火戸に従属する一形態によれば、前記断熱材および前記保持部材の少なくとも一方は、前記ケースの側壁に沿って延びる形状である。
この防火戸によれば、断熱材および保持部材の少なくとも一方がケースの側壁に沿って延びる形状であるため、ケースのうちのより広い部分と面する位置に断熱材および保持部材の少なくとも一方が配置される。このため、駆動部の温度がより上昇しにくい。【００１３】
（６）上記防火戸に従属する一形態によれば、前記保持部材は、前記断熱材の形状を保持するよう構成されている。
この防火戸によれば、保持部材が断熱材の形状を保持するよう構成されているため、断熱材の形状が維持されやすい。このため、断熱材が火炎にさらされて形状が崩れて断熱材の断熱性能が低下することを抑制することができる。【００１４】
（７）上記防火戸に従属する一形態によれば、前記保持部材は、前記ケースと前記断熱材との間に配置された部分である保持部、および、前記断熱材のうちの前記保持部により保持されている面と反対側の面に面する保護部を備える。【００１５】
この防火戸によれば、保護部により断熱材が直接的に火炎にさらされることが抑制されるため、断熱材の形状が維持されやすい。このため、断熱材が火炎にさらされて形状が崩れて断熱材の断熱性能が低下することを抑制することができる。【００１６】
（８）上記防火戸に従属する一形態によれば、前記保護部は、前記ケースの側壁に沿って延びる形状である。
この防火戸によれば、保護部がケースの側壁に沿って延びる形状であるため、断熱材の火炎にさらされる面のうちのより広い部分を保護部により覆うことができる。このため、断熱材の形状がより維持されやすい。【００１７】
（９）上記防火戸に従属する一形態によれば、前記保持部材を複数備え、複数の前記保持部材は、間隔をあけて配置されている。
この防火戸によれば、分割された保持部材を介して断熱材がケースにより支持されるため、防火戸の軽量化が図られる。【００１８】
（１０）本発明の一形態に従う防火戸は、軟鋼よりも熱伝導率が低い金属により形成され、前記ケースの内部において前記ケースの内面と間隔をあけて配置された区画板をさらに備える。【００１９】
この防火戸によれば、ケースの内面と区画板との間に空気層が形成されるため、ケースの内部の熱の伝達が、空気層により阻害される。また、区画板は軟鋼よりも熱伝導率の低い金属により形成されているため、ケースの内部においてより熱が伝達されにくい。このため、駆動部の温度が上昇しにくい。【００２０】
（１１）上記防火戸に従属する一形態によれば、ドアを駆動する駆動部と、前記駆動部を収容しているケースと、前記ケースの内部において前記ケースにより支持されている断熱材とを備える。【００２１】
この防火戸によれば、設置されている建物内で火災が発生した場合、ケースに伝達された火炎の熱がケースの内部の空間で伝達されることが断熱材により抑制される。このため、駆動部の温度が上昇しにくい。
【発明の効果】
【００２２】
本発明のいくつかの形態によれば、駆動部の温度が上昇しにくい防火戸が提供される。本発明の他の形態及び利点は本発明の技術的思想の例を示している図面と共に以下の記載から明らかとなる。
【図面の簡単な説明】
【００２３】
【図１】実施形態の防火戸の外観の正面図。
【図２】図１のＤ２−Ｄ２線に沿う断面図。
【図３】図２のＤ３−Ｄ３線に沿う断面図。
【図４】図１の防火戸の断熱部の分解斜視図。
【図５】図４の断熱部の斜視図。
【図６】変形例の無目の断面図。
【図７】変形例の無目の断面図。
【図８】変形例の無目の断面図。
【図９】変形例の無目の断面図。
【図１０】変形例の無目の断面図。
【図１１】変形例の無目の断面図。
【図１２】変形例の無目の断面図。
【図１３】変形例の断熱部の分解斜視図。
【図１４】変形例の断熱部の分解斜視図。
【図１５】変形例の断熱部の分解斜視図。
【図１６】変形例の断熱部の分解斜視図。
【図１７】変形例の無目の断面図。
【図１８】変形例の無目の断面図。
【図１９】変形例の無目の断面図。
【図２０】変形例の無目の断面図。
【図２１】変形例の無目の断面図。
【図２２】変形例の断熱部の分解斜視図。
【図２３】変形例の断熱部の分解斜視図。
【図２４】変形例の断熱部の分解斜視図。
【図２５】変形例の断熱部の分解斜視図。
【図２６】変形例の断熱部の斜視図。
【発明を実施するための形態】
【００２４】
（実施形態）
図１に示されるように、引き分け式の防火戸１は、建物内に形成された間口１００の長手方向において対向して配置された一対の縦枠２、および、一対の縦枠２の上方に配置され、一対の縦枠２により固定支持されている無目４０を備える。防火戸１は、さらに、２つの固定壁１０と、２つの固定壁１０が並べられている方向に沿って移動する２つの引戸２０を備える。無目４０には、引戸２０を移動させる駆動部３０が収容されており、駆動部３０が引戸２０を駆動方向ＺＢに移動させることにより、２つの引戸２０が２つの固定壁１０の間の出入口を開閉する。なお、防火戸１は、１つの固定壁１０、および、駆動部３０により駆動される１つの引戸２０を備える片引き式であってもよい。また、引戸２０は、ドアの一例であり、ドアリーフと呼ぶこともある。防火戸１は、引戸２０に代えて、駆動部３０により駆動される開戸、または、駆動部３０により駆動される折戸を備えていてもよい。
【００２５】
縦枠２は、軟鋼またはステンレス鋼により形成されている。固定壁１０は、防火戸１の高さ方向ＺＡに延びる中方立１１、および、中方立１１と縦枠２との間に配置され、引戸２０の駆動方向ＺＢに延びる巾木１２を備える。縦枠２、中方立１１、巾木１２、および、無目４０は、耐熱ガラスパネル１３を支持している。
【００２６】
引戸２０は、軟鋼またはステンレス鋼により形成された矩形状の枠体２１、および、枠体２１により支持されている耐熱ガラスパネル２２を備える。引戸２０は、戸車を有するドアハンガ８１，８２を介して無目４０内に配置された走行レール（図示略）に吊り下げられ、駆動方向ＺＢにスライド自在に支持されている。
【００２７】
駆動部３０は、電気モータ３１、電気モータ３１の出力軸と減速機（図示略）を介して連結されている駆動スプロケット３２、引戸２０の駆動方向ＺＢにおいて駆動スプロケット３２と間隔をあけて配置されている従動スプロケット３３、ならびに、駆動スプロケット３２と従動スプロケット３３とに巻き掛けられているチェーン３４を有する。チェーン３４は、互いに移動方向が異なる第１の部分３４Ａおよび第２の部分３４Ｂを有する。第１の部分３４Ａと２つの引戸２０のうちの一方の枠体２１とは、第１のドアハンガ８１を介して接続されている。第２の部分３４Ｂと２つの引戸２０のうちの他方の枠体２１とは、第２のドアハンガ８２を介して接続されている。電気モータ３１の駆動力がチェーン３４を介してドアハンガ８１，８２に伝達されることにより、引戸２０が開閉する。なお、無目４０内には、駆動部３０の他に、防火戸１が設置されている建物内で火災が発生したことが検出されたときに、引戸２０を閉じ方向に移動させるための自動閉鎖装置（図示略）が配置されている。
【００２８】
図２に示されるように、無目４０は、ボルト９０により一対の縦枠２に固定支持され、躯体のアンカー（図示略）により吊り下げられている。無目４０は、駆動部３０を収容しているメインケース５０、メインケース５０の底壁５０Ａに取り付けられたサブケース６０、メインケース５０の一方の側壁５０Ｂにヒンジ４１を介して取り付けられた点検カバー４２を備える。無目４０は、さらに、メインケース５０の他方の側壁５０Ｃを覆う化粧カバー４３、および、化粧カバー４３とメインケース５０の側壁５０Ｃとの間に配置された断熱部７０を備える。なお、図２においては、図面の簡略化のため、駆動部３０が配置される領域を二点鎖線で示し、固定壁１０の図示を省略している。
【００２９】
メインケース５０は、軟鋼により形成されており、底壁５０Ａおよび側壁５０Ｂの一部が開口している。作業者は、側壁５０Ｂに取り付けられた点検カバー４２を開くことにより、側壁５０Ｂに形成された開口を介して駆動部３０を構成する部品のメンテナンスを行うことができる。メインケース５０の底壁５０Ａ、側壁５０Ｂ，５０Ｃ、および、上壁５０Ｄは、引戸２０の駆動方向ＺＢに延びる形状である。
【００３０】
メインケース５０の内部には、メインケース５０の強度を高めるフラットバー５１が配置されている。フラットバー５１は、メインケース５０の上壁５０Ｄから下方に延びる板状の部材であり、軟鋼により形成されている。フラットバー５１の側面のうちの駆動部３０と面する側面５１Ａには、ステンレス鋼により形成され、防火戸１の高さ方向ＺＡに延びる第１の区画板５２が取り付けられている。第１の区画板５２の上端と上壁５０Ｄとの間には間隔が形成されている。フラットバー５１のうちの側面５１Ａと反対の側面５１Ｂと側壁５０Ｃの内面との間には、ステンレス鋼により形成された第２の区画板５３が取り付けられている。第２の区画板５３は、コ字状に折れ曲がった形状であり、駆動部３０の配線、および、防火戸１に取り付けられている各種センサの配線等を収容することができる。第２の区画板５３は、メインケース５０の内部の空間において駆動部３０よりも上方に配置されている。メインケース５０の内部の空間のうち、第１の区画板５２および第２の区画板５３により囲まれる空間に空気層５４が形成されている。空気層５４は、図３に示される第２の区画板５３の下方において、第２の区画板５３の長手方向、すなわち、引戸２０の駆動方向ＺＢに沿って形成されている。なお、第２の区画板５３を省略し、第１の区画板５２の上端と上壁５０Ｄとを接触させることにより、メインケース５０の内部の空間に空気層５４を形成してもよい。
【００３１】
サブケース６０は、例えば、ステンレス鋼により形成されており、メインケース５０の底壁５０Ａに溶接されている。サブケース６０は、上壁６０Ａが底壁５０Ａと接続され、引戸２０の駆動方向ＺＢ（図１参照）に延びる中空の直方体形状である。サブケース６０の内部には、断熱材６１が防火戸１の高さ方向ＺＡに２枚積層されている。断熱材６１は、珪酸カルシウムを主成分として形成された、引戸２０の駆動方向ＺＢ（図１参照）に延びる板状の部材である。なお、サブケース６０の内部に配置される断熱材６１の枚数は、１枚または３枚以上であってもよい。また、断熱材６１は、石膏を主成分として板状に形成された石膏ボード等の断熱性能を有する部材であればよい。点検カバー４２および化粧カバー４３は、ステンレス鋼により形成されているが、軟鋼等の他の金属により形成することもできる。
【００３２】
図２および図３に示されるように、断熱部７０は、防火戸１の前後方向ＺＣに積層された２枚の断熱材７１、および、２枚の断熱材７１を収容している保持部材７２を備える。なお、防火戸１の前後方向ＺＣは、防火戸１が設置されている建物内において防火戸１により区画される室内外の方向である。
【００３３】
断熱材７１は、珪酸カルシウムを主成分として形成された、引戸２０の駆動方向ＺＢ（図３参照）に延びる板状の部材である。断熱材７１は、メインケース５０の外部において、保持部材７２を介してメインケース５０により支持されている。断熱材７１は、防火戸１の前後方向ＺＣにおいて、点検カバー４２とは反対側に配置されている。なお、保持部材７２の内部に配置される断熱材７１の枚数は、１枚または３枚以上であってもよい。また、断熱材７１は、石膏を主成分として板状に形成された石膏ボード等の断熱性能を有する部材であればよい。
【００３４】
図４に示されるように、２枚の断熱材７１はそれぞれ、長手方向の寸法が異なる断熱材が継ぎ合わせられている。このため、２枚の断熱材７１のうちの一方の断熱材７１には継ぎ目７１Ａが形成され、他方の断熱材７１には継ぎ目７１Ｂが形成されている。引戸２０の駆動方向ＺＢにおいて、継ぎ目７１Ａの位置と継ぎ目７１Ｂの位置とは異なる。なお、継ぎ目７１Ａ，７１Ｂが形成される理由は、メインケース５０（図３参照）の引戸２０の駆動方向ＺＢの寸法が、断熱材７１の長手方向の定尺よりも長いためである。
【００３５】
図２に示されるように、保持部材７２は、例えば、ステンレス鋼により形成され、互いに組み合わせられる保持部７３および保護部７４を有する。
保持部７３は、メインケース５０の側壁５０Ｃと断熱材７１との間に配置されている側壁７３Ａと、側壁７３Ａから防火戸１の前方に突出している上壁７３Ｂおよび底壁７３Ｃとを有する。
【００３６】
側壁７３Ａ、上壁７３Ｂ、および、底壁７３Ｃは、引戸２０の駆動方向ＺＢに延びる形状であり、長手方向の寸法が、断熱材７１の長手方向の寸法、および、側壁５０Ｃの長手方向の寸法と実質的に等しい。側壁７３Ａは、側壁５０Ｃに溶着されている。なお、側壁７３Ａは、ビス等により側壁５０Ｃに取り付けられてもよい。
【００３７】
保護部７４は、断熱材７１のうちの保持部７３により保持されている面と反対側の面に面する側壁７４Ａと、側壁７４Ａから防火戸１の後方に突出している上壁７４Ｂおよび底壁７４Ｃとを有する。側壁７４Ａ、上壁７４Ｂ、および、底壁７４Ｃは、引戸２０の駆動方向ＺＢに延びる形状であり、長手方向の寸法が、断熱材７１の長手方向の寸法、および、側壁５０Ｃの長手方向の寸法と実質的に等しい。
【００３８】
図２および図５に示されるように、保持部７３と保護部７４とが互いに組み合わせられることにより２枚の断熱材７１が保持部材７２により覆われる。このように、保持部材７２は、断熱材７１の形状を保持するように構成されている。
【００３９】
図２を参照して、防火戸１の作用および効果について説明する。
本実施形態では、防火戸１が設置されている建物内において防火戸１により区画される空間のうち、化粧カバー４３と面する空間を室外空間とし、点検カバー４２と面する空間を室内空間として、室外空間で火災が発生した場合を例に説明する。
【００４０】
室外空間で火災が発生した場合、メインケース５０のうちの断熱部７０を介して側壁５０Ｃと面する火炎の熱のメインケース５０への伝達が断熱材７１により抑制される。また、メインケース５０のうちの底壁５０Ａと面する火炎の熱のメインケース５０への伝達が断熱材６１により抑制される。このように、火炎の熱のメインケース５０への伝達が断熱材６１，７１により抑制されるため、メインケース５０の内部の温度が上昇しにくい。このため、駆動部３０の温度が上昇しにくい。
【００４１】
本実施形態の防火戸１は、さらに以下の効果を奏する。
（１）メインケース５０と断熱材７１との間に軟鋼などの一般的な鋼材よりも熱伝導率の低いステンレス鋼により形成された保持部材７２が配置されているため、保持部材７２を介したメインケース５０への熱の伝達が抑制され、メインケース５０の内部の温度が上昇することを抑制できる。このため、駆動部３０の温度が上昇しにくい。
【００４２】
（２）複数の断熱材７１が防火戸１の前後方向ＺＣに積層されていることにより、隣り合う断熱材７１の間に空気層が形成される。このため、断熱材７１による断熱効果に加えて、空気層による断熱効果が得られるため、駆動部３０の温度がより上昇しにくい。
【００４３】
（３）室外空間で火災が発生した場合、メインケース５０のうちの側壁５０Ｃが火炎にさらされやすい。防火戸１によれば、メインケース５０の側壁５０Ｃに保持部材７２が取り付けられているため、側壁５０Ｃに面する位置に断熱材７１が配置される。このように、防火戸１のうちの火炎にさらされやすい箇所に断熱材７１が配置されるため、駆動部３０の温度がより上昇しにくい。
【００４４】
（４）断熱材７１および保持部材７２がメインケース５０の側壁５０Ｃに沿って延びる形状であるため、メインケース５０のうちのより広い部分と面する位置に断熱材７１および保持部材７２が配置される。このため、駆動部３０の温度がより上昇しにくい。
【００４５】
（５）保持部材７２が断熱材７１の形状を保持するよう構成されているため、断熱材７１の形状が維持されやすい。このため、断熱材７１が火炎にさらされて形状が崩れて断熱材７１の断熱性能が低下することを抑制することができる。
【００４６】
（６）保護部７４により断熱材７１が直接的に火炎にさらされることが抑制されるため、断熱材７１の形状が維持されやすい。このため、断熱材７１が火炎にさらされて形状が崩れて断熱材７１の断熱性能が低下することを抑制することができる。
【００４７】
（７）保護部７４が引戸２０の側壁５０Ｃに沿って延びる形状であるため、断熱材７１の火炎にさらされる面のうちのより広い部分を保護部７４により覆うことができる。このため、断熱材７１の形状がより維持されやすい。
【００４８】
（８）第１の区画板５２および第２の区画板５３により、メインケース５０の内部の空間に空気層５４が形成されるため、メインケース５０の内部の熱の伝達が、空気層５４により阻害される。また、第１の区画板５２および第２の区画板５３は、軟鋼などの一般的な鋼材よりも熱伝導率の低いステンレス鋼により形成されているため、メインケース５０の内部においてより熱が伝達されにくい。このため、駆動部３０の温度が上昇しにくい。
【００４９】
（９）サブケース６０の内部においてサブケース６０により支持されている断熱材６１を備えるため、サブケース６０に伝達された火炎の熱がサブケース６０の内部の空間で伝達されることが断熱材６１により抑制される。このため、駆動部３０の温度が上昇しにくい。
【００５０】
（１０）引戸２０の駆動方向ＺＢにおいて、継ぎ目７１Ａの位置と継ぎ目７１Ｂの位置とが同じである場合、継ぎ目７１Ａ，７１Ｂを介してメインケース５０に熱が伝達されるおそれがある。一方、防火戸１は、引戸２０の駆動方向ＺＢにおいて、継ぎ目７１Ａの位置と継ぎ目７１Ｂの位置とが異なるため、メインケース５０に熱が伝達されにくく、駆動部３０の温度がより上昇しにくい。
【００５１】
（１１）断熱材６１、７１は、駆動部３０と非接触に、かつ、駆動部３０を少なくとも部分的に覆うように、メインケース５０に直接にまたは間接的に支持される。例えば、断熱材６１は、駆動部３０の最下端よりも下方に配置される。断熱材７１は、駆動部３０よりも室外側に配置される。この配置によれば、火災時に、駆動部３０が断熱材６１及び／又は７１の遮蔽によって加熱されにくくなる。
【００５２】
（１２）図２の例のように、断熱材７１は、高さ方向ＺＡにおいて駆動部３０を横切るまたは覆うように配置され得る。例えば、断熱材７１の上端が駆動部３０の最上部（例えば電気モータ３１の最上部）よりも上方に位置し、断熱材７１の下端が駆動部３０の最下部（例えば電気モータ３１の最下部）よりも下方に位置し得る。この配置によれば、火災時に、駆動部３０が断熱材７１の遮蔽によって加熱されにくくなる。
【００５３】
（１３）断熱材６１、７１は、第２の区画板５３と非接触に、かつ、第２の区画板５３を少なくとも部分的に覆うように、メインケース５０に直接にまたは間接的に支持される。例えば、断熱材６１は、第２の区画板５３の最下端よりも下方に配置される。断熱材７１は、第２の区画板５３よりも室外側に配置される。この配置によれば、火災時に、第２の区画板５３上の配線（駆動部３０の配線及び／又はセンサの配線）が断熱材６１及び／又は７１の遮蔽によって加熱されにくくなる。
【００５４】
（１４）図２の例のように、断熱材７１は、高さ方向ＺＡにおいて第２の区画板５３を横切るまたは覆うように配置され得る。この配置によれば、火災時に、第２の区画板５３上の配線（駆動部３０の配線及び／又はセンサの配線）が断熱材７１の遮蔽によって加熱されにくくなる。
【００５５】
（変形例）
上記実施形態に関する説明は、本発明に従う防火戸が取り得る形態の例示であり、その形態を制限することを意図していない。本発明に従う防火戸は、例えば以下に示される実施形態の変形例、および、相互に矛盾しない少なくとも２つの変形例が組み合わせられた形態を取り得る。なお、図６〜図１２、図１５〜図２５においては、図面簡略化のため無目４０に関して、メインケース５０および断熱部７０のみを図示している。
【００５６】
（変形例１）
上記実施形態において、防火戸１を構成する各部品のうちのステンレス鋼により形成される部品は、ステンレス鋼以外の任意の金属材料により形成してもよい。任意の金属材料は、軟鋼などの一般的な鋼材よりも熱伝導率の低いチタン等の金属が好ましい。
【００５７】
（変形例２）
上記実施形態において、断熱材７１の配置および形状を、例えば以下の（ａ）〜（ｐ）のようにしてもよい。
【００５８】
（ａ）図６に示されるように、断熱材７１をメインケース５０の底壁５０Ａに直接的に取り付けてもよい。すなわち、この変形例の防火戸１は、保持部材７２を有さない。
（ｂ）図７に示されるように、断熱材７１をメインケース５０の側壁５０Ｂに直接的に取り付けてもよい。すなわち、この変形例の防火戸１は、保持部材７２を有さない。
【００５９】
（ｃ）図８に示されるように、断熱材７１をメインケース５０の側壁５０Ｃに直接的に取り付けてもよい。すなわち、この変形例の防火戸１は、保持部材７２を有さない。
（ｄ）図９に示されるように、断熱材７１をメインケース５０の上壁５０Ｄに直接的に取り付けてもよい。すなわち、この変形例の防火戸１は、保持部材７２を有さない。
【００６０】
（ｅ）図１０に示されるように、断熱材７１を保持部材７２を介してメインケース５０の底壁５０Ａに取り付けてもよい。
（ｆ）図１１に示されるように、断熱材７１を保持部材７２を介してメインケース５０の側壁５０Ｂに取り付けてもよい。
【００６１】
（ｇ）図１２に示されるように、断熱材７１を保持部材７２を介してメインケース５０の上壁５０Ｄに取り付けてもよい。
（ｈ）図１３に示されるように、断熱材７１の長手方向の寸法を、保持部７３の側壁７３Ａ、上壁７３Ｂ、および、底壁７３Ｃの長手方向の寸法よりも長い寸法としてもよい。この変形例の防火戸１によれば、より広い範囲に断熱材７１が配置されるため、断熱効果がより高められる。
【００６２】
（ｉ）図１４に示されるように、断熱材７１の長手方向の寸法を、保持部７３の側壁７３Ａ、上壁７３Ｂ、および、底壁７３Ｃの長手方向の寸法よりも短い寸法としてもよい。なお、この変形例の防火戸１においては、断熱材７１は駆動部３０（図２参照）と対応する部分に配置されることが好ましい。この変形例の防火戸１によれば、断熱部７０の軽量化が図られる。
【００６３】
（ｊ）図１５に示されるように、断熱材７１の長手方向の寸法をメインケース５０の側壁５０Ｃの長手方向の寸法よりも長い寸法としてもよい。この変形例の防火戸１によれば、より広い範囲に断熱材が配置されるため、断熱効果がより高められる。
【００６４】
（ｋ）図１６に示されるように、断熱材７１の長手方向の寸法をメインケース５０の側壁５０Ｃの長手方向の寸法よりも短い寸法としてもよい。この変形例の防火戸１においては、断熱材７１は駆動部３０（図２参照）と対応する部分に配置されることが好ましい。この変形例の防火戸１によれば、断熱部７０の軽量化が図られる。
【００６５】
（ｌ）図１７に示されるように、断熱材７１をメインケース５０の内部に配置された保持部材７２を介して側壁５０Ｃに取り付けてもよい。なお、この変形例の防火戸１においては、保持部材７２を省略し、メインケース５０の内部において断熱材７１を側壁５０Ｃに直接取り付けてもよい。
【００６６】
（ｍ）図１８に示されるように、断熱材７１をメインケース５０の内部に配置された保持部材７２を介して側壁５０Ｂに取り付けてもよい。なお、この変形例の防火戸１においては、保持部材７２を省略し、メインケース５０の内部において断熱材７１を側壁５０Ｂに直接取り付けてもよい。
【００６７】
（ｎ）図１９に示されるように、断熱材７１をメインケース５０の内部に配置された保持部材７２を介して上壁５０Ｄに取り付けてもよい。なお、この変形例の防火戸１においては、保持部材７２を省略し、メインケース５０の内部において断熱材７１を上壁５０Ｄに直接取り付けてもよい。
【００６８】
（ｏ）図２０に示されるように、断熱材７１をメインケース５０の内部に配置された保持部材７２を介して底壁５０Ａに取り付けてもよい。なお、この変形例の防火戸１においては、保持部材７２を省略し、メインケース５０の内部において断熱材７１を底壁５０Ａに直接取り付けてもよい。
【００６９】
（ｐ）図２１に示されるように、断熱材７１を防火戸１の高さ方向ＺＡに積層して配置してもよい。
（変形例３）
上記実施形態において、保持部材７２の形状および寸法を、例えば以下の（ａ）〜（ｆ）のようにしてもよい。
【００７０】
（ａ）図２２に示されるように、変形例の防火戸１は、引戸２０の駆動方向ＺＢにおいて間隔をあけて配置された一対の保持部材１７２を備える。
保持部材１７２は、例えばステンレス鋼により形成されている。保持部材１７２は、メインケース５０の側壁５０Ｃに取り付けられ、防火戸１の高さ方向ＺＡに延びるケース取付部１７２Ａ、および、ケース取付部１７２Ａの長手方向の端部に形成され、断熱材７１を支持する一対の支持部１７２Ｂを備える。防火戸１の高さ方向ＺＡにおいて、一対の支持部１７２Ｂは間隔をあけて形成されている。すなわち、防火戸１の高さ方向ＺＡにおいて、一対の支持部１７２Ｂの寸法は、ケース取付部１７２Ａの寸法よりも短い。ケース取付部１７２Ａは、メインケース５０の側壁５０Ｃに溶接されていてもよく、ボルトにより固定されていてもよい。断熱材７１は、一対の支持部１７２Ｂの間に挿入され、メインケース５０に取り付けられる化粧カバー４３により覆われる。
【００７１】
この変形例の防火戸１によれば、分割された一対の保持部材１７２を介して断熱材７１がメインケース５０により支持されるため、防火戸１の軽量化が図られる。また、防火戸１の高さ方向ＺＡにおいて、一対の支持部１７２Ｂの寸法がケース取付部１７２Ａの寸法よりも短いため、保持部材１７２の軽量化が図られる。なお、この変形例の防火戸１においては、３つ以上の保持部材１７２を引戸２０の駆動方向ＺＢに沿って所定の間隔をあけて配置してもよい。また、図２３に示されるように、保持部材１７２の形状をケース取付部１７２Ａ、および、支持部１７２Ｂが引戸２０の駆動方向ＺＢに延びる形状とすることもできる。この構成によっても、一対の支持部１７２Ｂの間に間隔が形成されているため、保持部材１７２の軽量化が図られる。
【００７２】
（ｂ）図２４に示されるように、変形例の防火戸１は、防火戸１の高さ方向ＺＡにおいて間隔をあけて配置された一対の保持部材２７２を備える。
保持部材２７２は、例えばステンレス鋼により形成されている。保持部材２７２は、メインケース５０の側壁５０Ｃに取り付けられているケース取付部２７２Ａ、および、ケース取付部２７２Ａの短手方向の端部に形成され、断熱材７１を支持する支持部２７２Ｂを備える。
【００７３】
防火戸１の高さ方向ＺＡにおいて、一対の保持部材２７２のうちの下方に配置されている保持部材２７２のケース取付部２７２Ａの寸法は、一対の保持部材２７２のうちの上方に配置されている保持部材２７２のケース取付部２７２Ａの寸法よりも長い。防火戸１の高さ方向ＺＡにおいて、一対の支持部２７２Ｂの寸法は、ケース取付部２７２Ａの寸法よりも短い。ケース取付部２７２Ａは、メインケース５０の側壁５０Ｃに溶接されていてもよく、ボルトにより固定されていてもよい。断熱材７１は、支持部２７２Ｂの間に挿入され、メインケース５０に取り付けられる化粧カバー４３により覆われる。
【００７４】
この変形例の防火戸１によれば、分割された一対の保持部材２７２を介して断熱材７１がメインケース５０により支持されるため、防火戸１の軽量化が図られる。また、防火戸１の高さ方向ＺＡにおいて、一対の支持部２７２Ｂの寸法がケース取付部２７２Ａの寸法よりも短いため、支持部２７２Ｂの軽量化が図られる。なお、図２５に示されるように、保持部材２７２を引戸２０の駆動方向ＺＢに沿って、所定の間隔をあけて配置してもよい。引戸２０の駆動方向ＺＢに沿って所定の間隔をあけて配置される保持部材２７２の数は３つ以上とすることもできる。
【００７５】
（ｃ）保持部７３の長手方向の寸法は、任意の寸法を取り得る。例えば、保持部７３の長手方向の寸法をメインケース５０の側壁５０Ｃの長手方向の寸法よりも長い寸法とした場合、より広い範囲に断熱材７１を配置できるため、断熱効果が高められる。一方、例えば、保持部７３の長手方向の寸法をメインケース５０の側壁５０Ｃの長手方向の寸法よりも短い寸法とした場合、防火戸１の軽量化が図られる。
【００７６】
（ｄ）保護部７４の長手方向の寸法は、任意の寸法を取り得る。例えば、保護部７４の長手方向の寸法をメインケース５０の側壁５０Ｃの長手方向の寸法よりも長い寸法とした場合、保護部７４がより広い範囲の断熱材７１を覆うことができるため、断熱材７１の断熱性能が低下することをより抑制することができる。一方、例えば、保護部７４の長手方向の寸法をメインケース５０の側壁５０Ｃの長手方向の寸法よりも短い寸法とした場合、防火戸１の軽量化が図られる。
【００７７】
（ｅ）図２６に示されるように、保持部７３と保護部７４とを一体的に、例えば単一部材として形成することもできる。
（ｆ）保持部材７２は、保持部７３または保護部７４を有さなくてもよい。保持部材７２が保持部７３を有さない場合、断熱材７１はメインケース５０に直接的に取り付けられる。一方、保持部材７２が保護部７４を有さない場合、断熱材７１は化粧カバー４３により覆われる。
【００７８】
本発明の主題は、上記した特定の実施形態及び変形例の全ての特徴より少ない特徴に存在する可能性がある。例えば、実施形態及びいくつかの変形例では、高合金鋼の一つの例としてステンレス鋼を用いたが、ステンレス鋼以外の鋼材を用いることができる。実施形態及びいくつかの変形例では、一般的な鋼材の一つの例として軟鋼(mild steel)を用いたが、軟鋼以外の鋼材を用いることができる。例えば、ステンレス鋼及び／または軟鋼に代えて、耐火鋼(fire resistant steel)、耐熱鋼(heat resistant steel)、溶融亜鉛メッキ鋼(hot dip galvanized steel)、電気亜鉛メッキ鋼(electro-galvanized steel)等を用いることができる。本発明の範囲は、請求の範囲および等価物の全範囲と共に確定されるべきである。
【符号の説明】
【００７９】
１                  ：防火戸
２０                ：引戸（ドア）
３０                ：駆動部
５０                ：メインケース（ケース）
５０Ｃ              ：側壁
５２                ：第１の区画板
６０                ：サブケース（ケース）
６１                ：断熱材
７１                ：断熱材
７２，１７２，２７２：保持部材
７３                ：保持部
７４                ：保護部
【図１】
2017014193.tif 000003
【図２】
2017014193.tif 000004
【図３】
2017014193.tif 000005
【図４】
2017014193.tif 000006
【図５】
2017014193.tif 000007
【図６】
2017014193.tif 000008
【図７】
2017014193.tif 000009
【図８】
2017014193.tif 000010
【図９】
2017014193.tif 000011
【図１０】
2017014193.tif 000012
【図１１】
2017014193.tif 000013
【図１２】
2017014193.tif 000014
【図１３】
2017014193.tif 000015
【図１４】
2017014193.tif 000016
【図１５】
2017014193.tif 000017
【図１６】
2017014193.tif 000018
【図１７】
2017014193.tif 000019
【図１８】
2017014193.tif 000020
【図１９】
2017014193.tif 000021
【図２０】
2017014193.tif 000022
【図２１】
2017014193.tif 000023
【図２２】
2017014193.tif 000024
【図２３】
2017014193.tif 000025
【図２４】
2017014193.tif 000026
【図２５】
2017014193.tif 000027
【図２６】
2017014193.tif 000028
【国際調査報告】
2017014193.tif 000029
2017014193.tif 000030
2017014193.tif 000031